(57)【特許請求の範囲】
【請求項１】
詰替用液体袋を保持収納する液体袋収納部と、
液吐出部に通じ、前記液体袋収納部内で上方に向けて立設された吸液管を有するポンプ手段と、
を有して成り、
前記詰替用液体袋を前記液体袋収納部の上方から押し込みながら該詰替用液体袋の底部の突き刺し部分に前記吸液管を突き刺して該液体袋収納部に保持収納し、該詰替用液体袋内の液体を前記液吐出部から吐出可能にする構成の液体取出装置において、
詰替に際し予め前記詰替用液体袋を保持収納する液体袋外装体を有し、
該液体袋外装体は、前記詰替用液体袋を未使用時の袋形態を保持した状態のまま密状態に上方から収納可能な構成であると共に、前記突き刺し部分が下方に開放された状態で収納する構成であり、詰替に際し前記詰替用液体袋を収納した液体袋外装体を前記液体袋収納部に上方から嵌挿する構成であり、
更に、前記突き刺し部分が下方に開放された状態で収納する構成が、前記液体袋外装体の底面に設けられた下方開放孔を有しており、該下方開放孔が、前記液体袋外装体に前記詰替用液体袋を上方から収納した際に空気抜き孔として作用し、更に該下方開放孔内に前記突き刺し部分が露出する構成であること、
を特徴とする詰替用液体袋を用いた液体取出装置。
【請求項２】
前記詰替用液体袋を未使用時の袋形態を保持した状態のまま密状態に上方から収納可能な構成が、着脱可能な上蓋を有する液体袋外装体であり、該上蓋の着脱により前記詰替用液体袋の上方からの収納が可能な構成であることを特徴とする請求項１に記載の詰替用液体袋を用いた液体取出装置。
【請求項３】
前記液体袋収納部が、前記液体袋外装体を上方から押し込む際の押し込み方向及び／又は押し込み位置のガイドとなるガイド構成を有することを特徴とする請求項１又は２に記載の詰替用液体袋を用いた液体取出装置。
【請求項４】
前記詰替用液体袋が、可撓性を有すると共に、前記吸液管が突き刺される突き刺し箇所の液密性及び気密性を保持可能な膜で構成されていることを特徴とする請求項１〜３のいずれかに記載の詰替用液体袋を用いた液体取出装置。
【請求項５】
前記突き刺し箇所の液密性及び気密性を保持可能な膜が、未延伸ナイロンフィルムとポリオレフィン系樹脂フィルムを含む積層フィルムで構成されていることを特徴とする請求項４に記載の詰替用液体袋を用いた液体取出装置。
【請求項６】
請求項１〜５のいずれかに記載の液体取出装置に、詰替用液体袋を装填する方法であって、
内部が空の状態の前記液体袋外装体に、前記詰替用液体袋を該詰替用液体袋の底部が下方に位置すると共に該底部が液体袋外装体の内部の底面に当接乃至は近接するように密状態に収納し、
前記詰替用液体袋を収納した該液体袋外装体を、前記液体取出装置の液体袋収納部に該液体袋収納部の上方から押し込み、
前記詰替用液体袋の底部の突き刺し部分に、前記液体袋収納部に立設する吸液管を突き刺しながら、前記液体袋外装体を前記液体袋収納部に嵌挿し保持収納させること、
を特徴とする詰替用液体袋の装填方法。
【請求項７】
前記液体袋収納部が、前記液体袋外装体を該液体袋収納部に嵌挿する際に、該液体袋収納部の内壁部の少なくとも一部に該液体袋外装体の外周面の少なくとも一部が当接して前記液体袋外装体を上方から押し込む際の押し込み方向及び／又は押し込み位置を規定するガイドとなるガイド構成を有することを特徴とする請求項６に記載の詰替用液体袋の装填方法。
【発明の詳細な説明】
【技術分野】
【０００１】
本発明は詰替用液体袋を用いた液体取出装置及び詰替用液体袋の装填方法に関し、詳しくは詰替用液体袋内に充填した液体石鹸・液体シャンプー・消毒剤等の液体を吐出使用することができる液体取出装置、及び該液体取出装置への詰替用液体袋の装填方法に関する。
【背景技術】
【０００２】
洗面所や浴室の壁面等に取り付けられる等して配設され、詰替用液体袋を収容した液体取出装置としては、例えば、特許文献１に記載がある。
【０００３】
特許文献１の技術は、液体取出装置の上部開口から詰替用液体袋を押し込み収納し、該液体取出装置の液体袋収納部内の底面から上方に向けて立設している吸液管に前記詰替用液体袋の底部を突き刺すことで、前記詰替用液体袋に充填されている液体の吐出が可能な構成となっている。
【先行技術文献】
【特許文献】
【０００４】
【特許文献１】特許第３５５８３８７号
【発明の概要】
【発明が解決しようとする課題】
【０００５】
詰替用液体袋を収容する液体取出装置は、内容液を使い切ると、液の無くなった液体袋を取り出して、新液が充填されている詰替用液体袋を新たに装填するが、その際に、ポンプの吸液管の先端を液体袋の底部に突き刺してポンプが作動できるように正確にセットすることが要求される。
【０００６】
特許文献１の技術では、詰替用液体袋の装填の際に、該詰替用液体袋が樹脂製であることに加えて内容物が固体ではなく液体であることから形態が不安定な不定形であるため、装填の際の持ち方や押し込み時の液体袋の形態状況等によっては、吸液管の突き刺し位置が偏ったり、突き刺し方向が曲がったり等の不具合が生じ、ポンプ機能が充分に作用しなかったり、作用した場合であっても突き刺し部分から液漏れが生じてしまい、袋体内の液体を全て使い切ることができない等の不都合が生じてしまうことがあるという問題点を有している。
【０００７】
特に、上記した詰替用液体袋の装填作業は、指先の力や握力の弱い者（老人等）には困難且つ煩雑な作業となり易く、上述の不具合や不都合が生じる頻度が高くなり易いものである。
【０００８】
そこで本発明の目的は、詰替用液体袋の装填作業がより容易に且つより確実に行うことができる詰替用液体袋を用いた液体取出装置及び詰替用液体袋の装填方法を提供することにある。
【課題を解決するための手段】
【０００９】
上記課題を解決する本発明は、下記構成を有する。
【００１０】
１．詰替用液体袋２を保持収納する液体袋収納部１４と、
液吐出部１１に通じ、前記液体袋収納部１４内で上方に向けて立設された吸液管１２を有するポンプ手段１３と、
を有して成り、
前記詰替用液体袋２を前記液体袋収納部１４の上方から押し込みながら該詰替用液体袋２の底部２１の突き刺し部分に前記吸液管１２を突き刺して該液体袋収納部１４に保持収納し、該詰替用液体袋２内の液体を前記液吐出部１１から吐出可能にする構成の液体取出装置１において、
詰替に際し予め前記詰替用液体袋２を保持収納する液体袋外装体３を有し、
該液体袋外装体３は、前記詰替用液体袋２を未使用時の袋形態を保持した状態のまま密状態に上方から収納可能な構成であると共に、前記突き刺し部分が下方に開放された状態で収納する構成であり、詰替に際し前記詰替用液体袋２を収納した液体袋外装体３を前記液体袋収納部１４に上方から嵌挿する構成であり、
更に、前記突き刺し部分が下方に開放された状態で収納する構成が、前記液体袋外装体３の底面３２Ａに設けられた下方開放孔３３を有しており、該下方開放孔３３が、前記液体袋外装体３に前記詰替用液体袋２を上方から収納した際に空気抜き孔として作用し、更に該下方開放孔３３内に前記突き刺し部分が露出する構成であること、
を特徴とする詰替用液体袋を用いた液体取出装置１。
【００１１】
２．前記詰替用液体袋を未使用時の袋形態を保持した状態のまま密状態に上方から収納可能な構成が、着脱可能な上蓋を有する液体袋外装体であり、該上蓋の着脱により前記詰替用液体袋の上方からの収納が可能な構成であることを特徴とする上記１に記載の詰替用液体袋を用いた液体取出装置。
【００１５】
３．前記液体袋収納部が、前記液体袋外装体を上方から押し込む際の押し込み方向及び／又は押し込み位置のガイドとなるガイド構成を有することを特徴とする上記１又は２に記載の詰替用液体袋を用いた液体取出装置。
【００１６】
４．前記詰替用液体袋が、可撓性を有すると共に、前記吸液管が突き刺される突き刺し箇所の液密性及び気密性を保持可能な膜で構成されていることを特徴とする上記１〜３のいずれかに記載の詰替用液体袋を用いた液体取出装置。
【００１７】
５．前記突き刺し箇所の液密性及び気密性を保持可能な膜が、未延伸ナイロンフィルムとポリオレフィン系樹脂フィルムを含む積層フィルムで構成されていることを特徴とする上記４に記載の詰替用液体袋を用いた液体取出装置。
【００１８】
６．上記１〜５のいずれかに記載の液体取出装置に、詰替用液体袋を装填する方法であって、
内部が空の状態の前記液体袋外装体に、前記詰替用液体袋を該詰替用液体袋の底部が下方に位置すると共に該底部が液体袋外装体の内部の底面に当接乃至は近接するように密状態に収納し、
前記詰替用液体袋を収納した該液体袋外装体を、前記液体取出装置の液体袋収納部に該液体袋収納部の上方から押し込み、
前記詰替用液体袋の底部の突き刺し部分に、前記液体袋収納部に立設する吸液管を突き刺しながら、前記液体袋外装体を前記液体袋収納部に嵌挿し保持収納させること、
を特徴とする詰替用液体袋の装填方法。
【００１９】
７．前記液体袋収納部が、前記液体袋外装体を該液体袋収納部に嵌挿する際に、該液体袋収納部の内壁部の少なくとも一部に該液体袋外装体の外周面の少なくとも一部が当接して前記液体袋外装体を上方から押し込む際の押し込み方向及び／又は押し込み位置を規定するガイドとなるガイド構成を有することを特徴とする上記６に記載の詰替用液体袋の装填方法。
また、本発明の参考例は、下記構成を有する。
（１）前記詰替用液体袋を未使用時の袋形態を保持した状態のまま密に収納可能な構成が、着脱可能な下蓋を有する液体袋外装体であり、該下蓋の着脱により前記詰替用液体袋の収納が可能な構成であることを特徴とする上記１に記載の詰替用液体袋を用いた液体取出装置。
（２）前記詰替用液体袋を未使用時の袋形態を保持した状態のまま密に収納可能な構成が、側面部分の一部が開閉可能な液体袋外装体であり、該側面部分の一部の開閉により前記詰替用液体袋の収納が可能な構成であることを特徴とする上記１に記載の詰替用液体袋を用いた液体取出装置。
（３）前記詰替用液体袋を未使用時の袋形態を保持した状態のまま密に収納可能な構成が、縦方向又は横方向に分割可能な構成の液体袋外装体であり、該液体袋外装体を縦方向又は横方向に分割することにより前記詰替用液体袋の収納が可能な構成であることを特徴とする上記１に記載の詰替用液体袋を用いた液体取出装置。
【発明の効果】
【００２０】
請求項１又は６に示す発明によれば、詰替用液体袋の装填作業がより容易に且つより確実に行うことができる詰替用液体袋を用いた液体取出装置又は詰替用液体袋の装填方法を提供することができる。
【００２１】
特に、新液が充填されている詰替用液体袋を新たに装填するには、前記詰替用液体袋を未使用時の袋形態を保持した状態のまま密に収納する液体袋外装体を液体袋収納部に嵌挿するだけで可能な所謂カセット式で極めて手軽に行うことができるので、指先の力や握力の弱い者（老人等）が装填作業を行っても、吸液管の突き刺し位置が偏ったり、突き刺し方向が曲がったり等の不具合が生じることがなく、容易に且つより確実に装填作業を行うことができる。
【００２２】
請求項２に示す発明によれば、液体袋外装体への詰替用液体袋の収納を、該液体袋外装体の上蓋の開閉を行うだけで容易に可能である。
【００２６】
請求項３又は７に示す発明によれば、液体袋外装体を液体袋収納部に嵌挿する際にガイドに沿って押し込むだけで正確な方向及び位置に容易に装填することができる。
【００２７】
請求項４に示す発明によれば、詰替用液体袋が可撓性を有するので液体袋外装体への収容の際には該液体袋外装体内に柔軟に収容させることができる。また、吸液管を突き刺した突き刺し部分の液密性及び気密性を保持できるので、詰替用液体袋内の液体を最後まで使いきることができる。
【００２８】
請求項５に示す発明によれば、吸液管と突き刺し部分の液密性及び気密性を確実に保持することができる。
参考例（１）によれば、液体袋外装体への詰替用液体袋の収納を、該液体袋外装体の下蓋の開閉を行うだけで容易に可能である。
参考例（２）によれば、液体袋外装体への詰替用液体袋の収納を、該液体袋外装体の側面部の一部に設けられた開閉部分の開閉を行うだけで容易に可能である。
参考例（３）によれば、液体袋外装体への詰替用液体袋の収納を、該液体袋外装体の分割部分を分割開閉するだけで容易に可能である。
【図面の簡単な説明】
【００２９】
【図１】本発明に係る詰替用液体袋を用いた液体取出装置の一実施例（壁面取付型）を示す概略説明図
【図２】液体袋外装体の一実施例を示す底面図
【図３】詰替用液体袋を収納した液体袋外装体を嵌挿した状態を説明する概略説明断面図
【図４】液体袋外装体の参考例を示す概略説明図
【図５】液体袋外装体の参考例を示す概略説明図
【図６】本発明に係る詰替用液体袋を用いた液体取出装置の他の実施例（載置型）を示す概略説明断面図
【図７】本発明に係る詰替用液体袋を用いた液体取出装置の他の実施例（載置型）を示す概略説明断面図
【発明を実施するための形態】
【００３０】
以下、本発明に係る詰替用液体袋を用いた液体取出装置（以下、単に液体取出装置ということもある。）及び詰替用液体袋の装填方法について図面に基づき詳細に説明する。
【００３１】
本発明は、洗面所や浴室等の使用場所に配設され、詰替用液体袋内に充填した液体石鹸・液体シャンプー・消毒剤等の液体を吐出使用することができる液体取出装置であり、
具体的な実施構成としては、図１〜図３に示すように、
詰替用液体袋２を保持収納する液体袋収納部１４と、
液吐出部１１に通じ、前記液体袋収納部１４内で上方に向けて立設された吸液管１２を有するポンプ手段１３と、
を有して成り、
前記詰替用液体袋２を前記液体袋収納部１４の上方から押し込みながら該詰替用液体袋２の底部２１の突き刺し部分に前記吸液管１２を突き刺して該液体袋収納部１４に保持収納し、該詰替用液体袋２内の液体を前記液吐出部１１から吐出可能にする構成において、
詰替に際し、予め前記詰替用液体袋２を保持収納する液体袋外装体３を有し、
該液体袋外装体３は、前記詰替用液体袋２を未使用時の袋形態を保持した状態のまま密に収納可能な構成であると共に、前記突き刺し部分が下方に開放された状態で収納する構成であり、前記詰替用液体袋２を収納した液体袋外装体３を前記液体袋収納部１４に上方から嵌挿すること、を主構成とするものである。
【００３２】
図１及び図３に示す実施例は壁面取付型の液体取出装置１を示し、洗面所や浴室の壁面等の取付面４に取付台部１５を取付固定することで使用することができる。
【００３３】
本発明に用いられる詰替用液体袋２としては、この種のポンプ手段の吸液管が突き刺されることで内部の液体を吐出可能な構成の詰替用液体袋として公知公用の自立型の合成樹脂製袋体を挙げることができ、中でも、可撓性を有する袋体であると共に、吸液管が突き刺される突き刺し箇所の液密性及び気密性を保持可能な膜で構成されたものが好ましく、とりわけ、この突き刺し箇所の液密性及び気密性を保持可能な膜が、未延伸ナイロンフィルムとポリオレフィン系樹脂フィルムを含む積層フィルムで構成されたものが好ましい。尚、詰替用液体袋２に充填する内容物である溶液は、必ずしも液体に限られることはなく、ゲル状或いはゼリー状等の流動体であればよい。
【００３４】
ポンプ手段１３としては、この種のポンプ式の液体取出装置に用いられる公知公用のポンプを特別の制限なく用いることができ、液吐出部１１を押込操作することで液体を液吐出部１１の先端開口部分から吐出することができる（図３参照）。尚、ポンプ手段１３のポンプ構成については、この種の液体取出装置に用いられる一般的なポンプ構成であるため、本明細書ではポンプ手段１３のポンプ機構についての説明は省略する。
【００３５】
吸液管１２は、先端が詰替用液体袋２の底部２１の突き刺し部分に突き刺し可能な先鋭状態に形成されており、この先端部分がポンプ手段１３を介して液吐出部１１に連通することで詰替用液体袋２内の液体を吸液する構成となっている。尚、詰替用液体袋２内の液体残量が減って僅かな状態となった際に該詰替用液体袋２の内表面が吸液管１２の先端にバキューム効果による収縮によって密着して該先端の開口部分を閉塞してしまった場合でも吸液が阻害されないように、該吸液管１２の先端部分の側面に吸液用の補助透孔を穿設した構成とすることが好ましい。
【００３６】
吸液管１２は、液体取出装置１の液体袋収納部１４内に上方に向けて立設する構成を有しており、液体袋収納部１４に嵌挿される液体袋外装体３に収納される詰替用液体袋２の底部２１の突き刺し部分に突き刺されることで該詰替用液体袋２の内部と連通して該内部の液体の吸液が可能な状態となる。
【００３７】
液体袋収納部１４は、下記において詳述する液体袋外装体３が嵌挿されることで該液体袋収納部１４に該液体袋外装体３を保持固定する構成であり、その収納空間形状は液体袋外装体３の下方部分形状と略一致する構成となっている。即ち、図２に示すように本実施例の液体袋外装体３の形状が円筒形である場合には液体袋収納部１４の収納空間形状も円筒形となり、例えば、矩形体等の他の形状である場合には液体袋収納部１４の収納空間形状も矩形体等の他の形状となる。
【００３８】
尚、該液体袋収納部１４は、本実施例では図１及び図３に示すような液体袋外装体３の略下半部分が収納される構成に限らず、該液体袋外装体３が嵌挿された際に安定して保持収納できる範囲であればよく、その収納範囲は該液体袋外装体３の少なくとも下４分の１程度から略全体の範囲であればよい。
【００３９】
液体袋外装体３は、上述したように詰替用液体袋２を内部に収納すると共に、該詰替用液体袋２を収納した状態で液体袋収納部１４に嵌挿されて保持収納されるものであり、図１〜図３に示すように、上蓋３１と外装体本体部３２とから成る円筒形の容器構成となっている。
【００４０】
外装体本体部３２は、詰替用液体袋２を袋形態を保持した状態のまま密に収納可能な容積及び内部収納空間形状、即ち、詰替用液体袋２の内容量より大であるが近似した容積を有することで詰替用液体袋２が内部で位置ズレしたり動いたりすることなく安定した状態で保持収納することができる。安定状態で収納できることにより、液体袋外装体３を液体袋収納部１４に嵌挿させた際に吸液管１２を底部２１の突き刺し部分の適正位置（基本的には中央部）に容易に且つ確実に突き刺すことが可能となる。
【００４１】
特に、前記液体袋収納部１４は、液体袋外装体３を該液体袋収納部１４に嵌挿する際に、該液体袋収納部１４の内壁部の少なくとも一部に該液体袋外装体３の外周面の少なくとも一部が当接して前記液体袋外装体３を上方から押し込む際の押し込み方向及び／又は押し込み位置を規定するガイドとなるガイド構成とすることで正しい方向及び位置に容易に且つ確実に嵌挿することができるようになる。ガイド構成としては、例えば、液体袋収納部１４を上方から平面視した際の内周面の形状を、液体袋外装体３外周面の水平方向断面形状に略一致させる構成を挙げることができ、かかる構成によれば、液体袋外装体３を上方から押し込む際の押し込み方向と押し込み位置が自ずから規定されるガイド構成として作用するので、正しい方向及び位置に容易に且つ確実に嵌挿することができる。更に、図１に示すように、収納部上端縁１４Ａの一部又は全部が、少なくとも吸液管１２の上端よりも上方位置となる構成にすることで、吸液管１２に対して詰替用液体袋２の突き刺し部分を正しい位置で且つ上方からまっすぐに突き刺すことができるようになる。
【００４２】
詰替用液体袋２の底部２１への吸液管１２の突き刺しは、外装体本体部３２の底面３２Ａに設けられた下方開放孔３３（図２参照）から該下方開放孔３３内に露出している前記底部２１の突き刺し最適箇所である突き刺し部分に吸液管１２を突き刺す構成であるため、突き刺し操作が容易に且つ確実になる。尚、底面に設けられた下方開放孔３３は、外装体本体部３２に詰替用液体袋２を収納した際に空気抜き孔としても作用する。
【００４３】
次に、上記説明した本発明の液体取出装置１に、詰替用液体袋２を装填する構成（方法）について図１及び図３に基づき説明する。
【００４４】
先ず、内部が空の状態の液体袋外装体３の上蓋３１を取り外し、詰替用液体袋２を外装体本体部３２に収納する。かかる収納は、詰替用液体袋２の底部２１が下方に位置すると共に該底部２１が外装体本体部３２の内部の底面に当接乃至は近接（好ましくは当接）するように密状態に行う。詰替用液体袋２を外装体本体部３２に収納した後、上蓋３１による閉塞を行い収納が完了する（主として図１の上半部の図を参照）。
【００４５】
次に、詰替用液体袋２を収納した液体袋外装体３を、液体取出装置１の液体袋収納部１４に上方から押し込むように嵌挿する（主として図１の下半部の図を参照）。このとき、この嵌挿は、詰替用液体袋２の底部２１の突き刺し部分に、前記液体袋収納部１４内に立設する吸液管１２を突き刺しながら行われ、液体袋収納部１４に液体袋外装体３が嵌挿され保持収納された状態で前記吸液管１２の突き刺しも完了する（図３を参照）。
【００４６】
尚、図３に示す実施例では、詰替用液体袋２を収納した液体袋外装体３を液体取出装置１の液体収納部１４に嵌挿させて保持固定した後、液体取出装置１の上部を被覆する装置カバー体５を装着している。
【００４７】
図３に示すように、新規の液体が充填された詰替用液体袋２が装着された液体取出装置１は、装置カバー体５の前面下方に形成された吐出操作用切欠部５１内に露出するポンプ手段１３の液吐出部１１を押込操作することで詰替用液体袋２内の液体の吐出が可能となる。
【００４８】
以上、本発明に係る液体取出装置、及び詰替用液体袋の装填方法の実施例について説明したが、本発明は上記実施例に限定されず、本発明の範囲内において他の態様を採ることもできる。
【００４９】
液体袋外装体は上記実施例では上蓋構成としていたが、本発明の参考例としては、図４に示すような下蓋構成や、図５に示すような縦方向分割構成を挙げることもできる。
【００５０】
図４に示す下蓋構成は、液体袋外装体３として、下方に開口部を有する外装体本体部３２と下蓋３４とから成る構成であり、下方開放孔３３は下蓋３４の底面に形成されている。かかる下蓋構成の場合、詰替用液体袋２の液体袋外装体３への収納は、外装体本体部３２の下方から該外装体本体部３２の内部に密に収納させた後、下蓋３４によって閉塞する以外は、液体袋収納部１４への嵌挿等の他の主構成は上記した上蓋構成の実施例と同様である。
【００５１】
図５に示す縦方向分割構成は、液体袋外装体３が縦方向に分割可能な構成、即ち、分割本体部３５と分割蓋体部３６とから成る構成であり、下方開放孔３３は分割本体部３５及び／又は分割蓋体部３６の底面に形成されている。かかる縦方向分割構成の場合、詰替用液体袋２は、分割本体部３５に側方から収納した後、分割蓋体部３６によって閉塞する以外は、液体収納部１４への嵌挿等の他の主構成は上記した上蓋構成の実施例と同様である。
【００５３】
更に、液体袋収納部の内壁面に嵌挿方向と一致する方向に延伸する凸条又は突起や凹条のガイドレール部を設け、該ガイドレール部に係合する凹条や凸条又は突起の被ガイドレール部を液体袋外装体の外周面の一部に設けることで、液体袋外装体を上方から押し込む際の押し込み方向及び／又は押し込み位置のガイドとなるガイド構成を設けることもできる。
【００５４】
更にまた、前記詰替用液体袋を未使用時の袋形態を保持した状態のまま密に収納可能な構成として、上記した実施例では、液体袋外装体を詰替用液体袋の内容量より大であるが近似した容積とする構成としていたが、液体袋外装体の容積に対して詰替用液体袋の容量が大幅に乃至はある程度少ない場合についても本発明内として対応することが可能であり、この場合には、詰替用液体袋の側面周囲及び／又は上方部に形成される空隙部分にスポンジ部材・発泡部材・エアパッキンの如きスペーサー部材を介在させることで未使用時の袋形態を保持したまま密に収納することができる。
【００５５】
前記した図１及び図３に示す実施例では壁面取付型の液体取出装置について説明したが、本発明はこれに限定されず、例えば、図６又は図７に示すような載置型とすることもできる。
【００５６】
図６は、洗面所等の載置台６に載置する載置型の実施例を示すものであり、該載置台６に取付台部ないし脚部１５を介して取付固定することで使用することができる。
【００５７】
図７は、載置型の他の実施例を示すものであり、本実施例では化粧台等の載置台６の上に液体取出装置１を直置き状態で載置している。本実施例に示す液体取出装置１では、載置台６上に直置き状態で載置するため、ポンプ手段１３及び液吐出部１１を該液体取出装置１の上部に配設した構成となっている。尚、液吐出部１１の位置は、液体取出装置１の上部に限らず、下部でもよいし中間部分であってもよく、適用される設置場所や設置状況等に応じて最適位置に配設するよう適宜設計変更によって対応することができる。
尚、図中、符号７は、吸液管１２を液体収納部１４の底部に止着するための止着具を示す。
【符号の説明】
【００５８】
１  液体取出装置
１１  液吐出部
１２  吸液管
１３  ポンプ手段
１４  液体袋収納部
１４Ａ  収納部上端縁
１５  取付台部ないし脚部
２  詰替用液体袋
２１  底部
３  液体袋外装体
３１  上蓋
３２  外装体本体部
３２Ａ  底面
３３  下方開放孔
３４  下蓋
３５  分割本体部
３６  分割蓋体部
４  取付面
５  装置カバー体
５１  吐出操作用切欠部
６  載置台
７  止着具
【図１】
0005745281.tif 000002
【図２】
0005745281.tif 000003
【図３】
0005745281.tif 000004
【図４】
0005745281.tif 000005
【図５】
0005745281.tif 000006
【図６】
0005745281.tif 000007
【図７】
0005745281.tif 000008